(57)【要約】      （修正有）【課題】複数の物品を箱体内に容易かつ安全に多段に配置することができる緩衝シートを提供する。【解決手段】本考案に係る緩衝シート１は、１枚の段ボールシートからなり、箱体内に配置され、この箱体の内部空間を多段に区分可能な緩衝シートであって、対向する前縁２ａ、５ａ及び後縁２ｂ、５ｂ、並びに対向する左右一対の側縁２ｃ、５ｃを有し、上記箱体の底面と平行に配置される略長方形状の中仕切板２と、上記中仕切板の一対の側縁から延出し、下方に折り曲げられる第１脚板３と、上記中仕切板の後縁から延出し、上方に折り曲げられる接続板４と、上記接続板の延出方向先端側の端縁から延出し、上記中仕切板と平行に折り返される上記中仕切板と略同型の天板５と、上記天板の延出方向先端側の端縁から延出し、下方に折り曲げられる第２脚板６とを備え、上記第２脚板の延出方向長さが、上記第１脚板及び上記接続板の延出方向の合計長さと等しい。【選択図】図１
0003223063.tif 000002
【実用新案登録請求の範囲】
【請求項１】
１枚の段ボールシートからなり、箱体内に配置され、この箱体の内部空間を多段に区分可能な緩衝シートであって、
対向する前縁及び後縁、並びに対向する左右一対の側縁を有し、上記箱体の底面と平行に配置される略長方形状の中仕切板と、
上記中仕切板の一対の側縁から延出し、下方に折り曲げられる第１脚板と、
上記中仕切板の後縁から延出し、上方に折り曲げられる接続板と、
上記接続板の延出方向先端側の端縁から延出し、上記中仕切板と平行に折り返される上記中仕切板と略同型の天板と、
上記天板の延出方向先端側の端縁から延出し、下方に折り曲げられる第２脚板と
を備え、
上記第２脚板の延出方向長さが、上記第１脚板及び上記接続板の延出方向の合計長さと等しい緩衝シート。
【請求項２】
上記接続板の延出方向基端側の端縁から延出する第３脚板をさらに備える請求項１に記載の緩衝シート。
【請求項３】
上記第３脚板が、その延出方向先端側の端縁から基端縁に至る凹部を有し、
上記中仕切板が、上記凹部と相補的な凸部を有する請求項２に記載の緩衝シート。
【請求項４】
上記第１脚板の上記中仕切板の後縁側の側縁が円弧状である請求項１、請求項２又は請求項３に記載の緩衝シート。
【請求項５】
上記中仕切板の前縁から延出し、下方に折り曲げられ、上記第２脚板と重なり合う第４脚板をさらに備える請求項１から請求項４のいずれか１項に記載の緩衝シート。
【考案の詳細な説明】
【技術分野】
【０００１】
本考案は、緩衝シートに関する。
【背景技術】
【０００２】
物品の保管、運搬等に段ボールシート等から組み立てられる箱体が広く用いられている。この箱体内には、比較的背の低い物品を２段以上に重ねて収容する場合がある。複数の物品を２段以上に重ねて収容する場合、各段に配置される物品間に緩衝用シートを配置することがある。
【０００３】
この緩衝用シートとしては、例えば１枚の段ボールシートからなる平板状の保護材が用いられている（特開２０１６−８８６１２号公報参照）。
【先行技術文献】
【特許文献】
【０００４】
【特許文献１】特開２０１６−８８６１２号公報
【考案の概要】
【考案が解決しようとする課題】
【０００５】
一方、箱体に収容される物品には、上方から押圧されると所望の形状を保持できない等、押圧に対する耐性の弱いものも存在する。このような物品を平板状の保護材を介在させつつ多段に配置すると、下方に配置される物品は、上方からの荷重に耐えかねて、変形、破損等するおそれがある。
【０００６】
本考案は、このような不都合に鑑みてなされたものであり、複数の物品を箱体内に容易かつ安全に多段に配置することができる緩衝シートの提供を課題とする。
【課題を解決するための手段】
【０００７】
上記課題を解決するためになされた本考案に係る緩衝シートは、１枚の段ボールシートからなり、箱体内に配置され、この箱体の内部空間を多段に区分可能な緩衝シートであって、対向する前縁及び後縁、並びに対向する左右一対の側縁を有し、上記箱体の底面と平行に配置される略長方形状の中仕切板と、上記中仕切板の一対の側縁から延出し、下方に折り曲げられる第１脚板と、上記中仕切板の後縁から延出し、上方に折り曲げられる接続板と、上記接続板の延出方向先端側の端縁から延出し、上記中仕切板と平行に折り返される上記中仕切板と略同型の天板と、上記天板の延出方向先端側の端縁から延出し、下方に折り曲げられる第２脚板とを備え、上記第２脚板の延出方向長さが、上記第１脚板及び上記接続板の延出方向の合計長さと等しい。
【考案の効果】
【０００８】
本考案に係る緩衝シートは、複数の物品を箱体内に容易かつ安全に多段に配置することができる。
【図面の簡単な説明】
【０００９】
【図１】図１は、本考案の一実施形態に係る緩衝シートを示す模式的平面図である。
【図２】図２は、図１の緩衝シートの箱体内での組立状態を示す模式的斜視図である。
【図３】図３は、図１の緩衝シートを箱体内に配置する途中の状態を示す模式的側面図である。
【図４】図４は、図１の緩衝シートを箱体内に配置する図３の次の状態を示す模式的側面図である。
【図５】図５は、図１の緩衝シートを箱体内に配置した状態を示す模式的側面図である。
【図６】図６は、図１の緩衝シートとは異なる実施形態に係る緩衝シートを示す模式的平面図である。
【図７】図７は、図６の緩衝シートの箱体内での組立状態を示す模式的斜視図である。
【図８】図８は、図７の緩衝シートの模式的背面図である。
【考案を実施するための形態】
【００１０】
［本考案の実施形態の説明］
最初に本考案の実施態様を列記して説明する。
【００１１】
本考案に係る緩衝シートは、１枚の段ボールシートからなり、箱体内に配置され、この箱体の内部空間を多段に区分可能な緩衝シートであって、対向する前縁及び後縁、並びに対向する左右一対の側縁を有し、上記箱体の底面と平行に配置される略長方形状の中仕切板と、上記中仕切板の一対の側縁から延出し、下方に折り曲げられる第１脚板と、上記中仕切板の後縁から延出し、上方に折り曲げられる接続板と、上記接続板の延出方向先端側の端縁から延出し、上記中仕切板と平行に折り返される上記中仕切板と略同型の天板と、上記天板の延出方向先端側の端縁から延出し、下方に折り曲げられる第２脚板とを備え、上記第２脚板の延出方向長さが、上記第１脚板及び上記接続板の延出方向の合計長さと等しい。
【００１２】
当該緩衝シートは、中仕切板の一対の側縁からそれぞれ延出する第１脚板によって上記中仕切板を箱体の底面と平行に保持すると共に、接続板から延出する天板を第２脚板によって上記中仕切板と平行に保持することができる。そのため、当該緩衝シートは、上記中仕切板と箱体の底面との間の空間、及び上記中仕切板と上記天板との間の空間を用いて複数の物品を安全かつ多段に配置することができる。当該緩衝シートは、１枚の段ボールシートからなるので、箱体内に複数の物品を収容する際に複数のシート材を組み合わせることを要しない。そのため、当該緩衝シートは、複数の物品を箱体内に容易に配置することができる。
【００１３】
当該緩衝シートは、上記接続板の延出方向基端側の端縁から延出する第３脚板をさらに備えるとよい。このように、上記接続板の延出方向基端側の端縁から延出する第３脚板をさらに備えることによって、上記中仕切板を上記箱体の底面と平行により安定的に保持することができる。また、この構成によると、上記接続板を上記箱体の側面に沿わせやすく、ひいては上記天板を上記中仕切板を平行に配置しやすい。
【００１４】
上記第３脚板が、その延出方向先端側の端縁から基端縁に至る凹部を有し、上記中仕切板が、上記凹部と相補的な凸部を有するとよい。当該緩衝シートは、上記中仕切板に上記第３脚板に対応する切欠きを形成することで上記凹部及び凸部を同時に形成することができる。この構成によると、上記第３脚板によって上記中仕切板及び上記天板を上記箱体の底面と平行に安定的に保持しつつ、上記凸部が物品の載置面として機能するので、複数の物品を上記中仕切板上に安定的に配置することができる。
【００１５】
上記第１脚板の上記中仕切板の後縁側の側縁が円弧状であるとよい。このように、上記第１脚板の上記中仕切板の後縁側の側縁が円弧状であることによって、当該緩衝シートを上記箱体内に設置しやすい。
【００１６】
当該緩衝シートは、上記中仕切板の前縁から延出し、下方に折り曲げられ、上記第２脚板と重なり合う第４脚板をさらに備えるとよい。このように、上記中仕切板の前縁から延出し、下方に折り曲げられ、上記第２脚板と重なり合う第４脚板をさらに備えることによって、上記中仕切板及び上記天板を上記箱体の底面と平行により安定的に保持することができる。
【００１７】
なお、本考案において、「前」、「後」、「左」、「右」、「上」、「下」とは、当該緩衝シートが箱体内に配置された状態における相対的な位置関係を意味している。「円弧状」とは、完全な円弧状に限られず、例えば複数の直線で円弧状に近似した形状を含む。
【００１８】
［本考案の実施形態の詳細］
以下、適宜図面を参照しつつ、本考案の実施の形態を詳説する。
【００１９】
［第一実施形態］
＜緩衝シート＞
図１の緩衝シート１は、１枚の段ボールシートからなる。当該緩衝シート１は、図２に示す組立状態で箱体内に配置される。当該緩衝シート１は、箱体内に配置され、この箱体の内部空間を多段に区分可能に構成される。当該緩衝シート１が配置される箱体としては、特に限定されるものではなく、例えば段ボールシートから組み立てられる包装箱等が挙げられる。
【００２０】
当該緩衝シート１は、対向する前縁２ａ及び後縁２ｂ、並びに対向する左右一対の側縁２ｃを有し、上記箱体の底面と平行に配置される略長方形状の中仕切板２と、中仕切板２の一対の側縁２ｃから延出し、下方に折り曲げられる第１脚板３と、中仕切板２の後縁２ｂから延出し、上方に折り曲げられる接続板４と、接続板４の延出方向先端側の端縁から延出し、中仕切板２と平行に折り返される中仕切板２と略同型の天板５と、天板５の延出方向先端側の端縁から延出し、下方に折り曲げられる第２脚板６とを備える。また、当該緩衝シート１は、中仕切板２の前縁２ａから延出し、下方に折り曲げられ、第２脚板６と重なり合う第４脚板７を備える。なお、図１において、太い実線は段ボールシートを切断して形成される切断線を示し、細い実線は段ボールシートの片面を筋押しして形成される罫線を示す。また、図１において、細い２点鎖線は、段ボールシートの片面側だけを切断したハーフカット線を示す。
【００２１】
当該緩衝シート１に用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
上記段ボールシートの厚さの下限としては、１．５ｍｍが好ましく、３ｍｍがより好ましい。一方、上記段ボールシートの厚さの上限としては、８ｍｍが好ましく、５ｍｍがより好ましい。上記厚さが上記下限に満たないと、当該緩衝シート１の強度が不十分となり、箱体内で所望の形状を維持し難くなるおそれがある。逆に、上記厚さが上記上限を超えると、箱体内に配置される形状に組み立て難くなるおそれや、当該緩衝シート１に起因して箱体内において物品を収容するための空間が小さくなるおそれがある。
【００２３】
上記段ボールシートの中芯の稜線は、中仕切板２の前後方向（前縁２ａ及び後縁２ｂに垂直な方向。図２のＸ方向）と平行であることが好ましい。この構成によると、当該緩衝シート１は、中仕切板２及び天板５が前後方向に撓み難くなるので、第２脚板６及び第４脚板７を支柱として、中仕切板２及び天板５を上記箱体の底面と平行に保持しやすい。
【００２４】
（中仕切板）
中仕切板２は、箱体内で、物品の収容空間を上下２段に区画する。つまり、当該緩衝シート１は、箱体内に配置された図２の状態で、箱体の底面と中仕切板２との間に第１収容空間Ｓ１が設けられ、中仕切板２と天板５との間に第２収容空間Ｓ２が設けられる。中仕切板２は、前縁２ａ、後縁２ｂ及び一対の側縁２ｃを４辺とする略長方形状である。前縁２ａ、後縁２ｂ及び一対の側縁２ｃは、それぞれ箱体内でこの箱体の側壁の内面と対向する。なお、「略長方形状」とは、完全な長方形に限定されるものではなく、長方形の角部が面取りされている形状や、各辺に切欠きが設けられている形状を含む。
【００２５】
（第１脚板）
第１脚板３は、中仕切板２の一対の側縁２ｃからそれぞれ延出している。つまり、当該緩衝シート１は、中仕切板２の対向する側縁２ｃから延出する一対の第１脚板３を有する。第１脚板３の幅（側縁２ｃと平行な方向の長さ）としては、側縁２ｃの長さ以下が好ましい。第１脚板３の延出方向長さとしては、第１収容空間Ｓ１に収容される物品のサイズ等に基づいて設定可能であるが、例えば３ｃｍ以上１０ｃｍ以下とすることができる。
【００２６】
第１脚板３の中仕切板２の後縁２ｂ側の側縁３ａは円弧状であることが好ましい。この構成によると、後述するように、複数の物品を第１収容空間Ｓ１に収容しつつ、当該緩衝シート１を上記箱体内に設置しやすい。
【００２７】
第１脚板３の中仕切板２の後縁２ｂ側の側縁３ａの基端部（中仕切板２側の端部）の前後方向位置（図２のＸ方向位置）は、後縁２ｂと略同じであることが好ましい。この構成によると、第１脚板３の中仕切板２の後縁２ｂ側の側縁を上記箱体の底面に当接しつつ、当該緩衝シート１を上記箱体内に設置しやすい。
【００２８】
第１脚板３と中仕切板２との間の境界線には折り曲げ容易線が設けられている。上記折り曲げ容易線としては、複数の切断線と段ボールシートの片面（第１脚板３が折り曲げられる側の面）を筋押しして形成された複数の罫線とが交互に連続したリード罫線が好ましい。
【００２９】
（接続板）
接続板４は、略長方形状である。接続板４は、中仕切板２に対して上方に折り曲げられることで、中仕切板２と天板５との間隔を保持するスペーサとして機能する。接続板４の延出方向長さとしては、第２収容空間Ｓ２に収容される物品のサイズ等に基づいて設定可能であるが、例えば第１脚板３の延出方向長さと同じとすることができる。なお、「接続板の延出方向長さ」とは、接続板の延出方向における接続板と中仕切板との境界線と接続板と天板との境界線との距離をいう。
【００３０】
接続板４と中仕切板２との間の境界線、及び接続板４と天板５との間の境界線には折り曲げ容易線が設けられている。これらの折り曲げ容易線としては、例えば段ボールシートの片面側（接続板４及び天板５が折り曲げられる側と反対の面側）だけを切断したハーフカット線や、複数の切断線と段ボールシートの片面（接続板４及び天板５が折り曲げられる側の面）を筋押しして形成された複数の罫線とが交互に連続したリード罫線が挙げられる。中でも、接続板４と天板５との間の境界線に形成される折り曲げ容易線としては、上記リード罫線とハーフカット線との組み合わせが好ましく、上述のリード罫線の両側に一対のハーフカット線が設けられた形状が特に好ましい。この構成によると、上記リード罫線によって上記折り曲げ容易線の意図しない折り曲げを抑制しつつ、箱体への設置時に上記折り曲げ容易線を容易かつ確実に折り曲げることができる。
【００３１】
（天板）
天板５は、箱体内で、中仕切板２と平行に保持され、中仕切板２との間に第２収容空間Ｓ２を形成する。また、天板５は、箱体の蓋部の下方に配置され、第２収容空間Ｓ２に収容されている物品を蓋部側からの衝撃から保護する。
【００３２】
天板５は、中仕切板２と略同型である。具体的には、天板５は、箱体内でこの箱体の側壁の内面と対向する前縁５ａ、後縁５ｂ及び一対の側縁５ｃを有する略長方形状である。
【００３３】
（第２脚板）
第２脚板６は、天板５から下方に折り曲げられることで、中仕切板２の前縁２ａの前方で上下方向に配置される。第２脚板６の最小幅（天板５の前縁５ａと平行な方向の最小長さ）は、例えば天板５の前縁５ａの長さの１／２以上とされる。
【００３４】
第２脚板６の延出方向長さは、第１脚板３及び接続板４の延出方向の合計長さと等しい。つまり、当該緩衝シート１は、中仕切板２と天板５とを平行に保持した状態で、箱体内において第１脚板３と第２脚板６とがこの箱体の底面に共に当接する。従って、第２脚板６は、天板５を中仕切板２と平行に保持するスペーサとして機能する。
【００３５】
第２脚板６と天板５との間の境界線には折り曲げ容易線が設けられている。上記折り曲げ容易線としては、段ボールシートの片面側（第２脚板６が折り曲げられる側と反対の面側）だけを切断したハーフカット線が好ましい。
【００３６】
（第４脚板）
第４脚板７は、第１脚板３と共に中仕切板２を支持する。そのため、第４脚板７の延出方向長さは第１脚板３の延出方向長さと等しい。第４脚板７は、中仕切板２の前縁２ａから延出している。より具体的には、中仕切板２の前縁２ａには、シート１枚分程度陥没した窪み部２ｄが形成されており、第４脚板７はこの窪み部２ｄから延出している。これにより、第２脚板６を第４脚板７の外面に重ね合わせた場合に、第２脚板６が中仕切板２に対して前方に突出するのが抑えられ、当該緩衝シート１を箱体内に安定的に配置することができる。
【００３７】
第４脚板７と中仕切板２との間の境界線には折り曲げ容易線が設けられている。上記折り曲げ容易線としては、複数の切断線と段ボールシートの片面（第４脚板７が折り曲げられる側の面）を筋押しして形成された複数の罫線とが交互に連続したリード罫線が好ましい。
【００３８】
＜設置手順＞
次に、図３〜図５を参照して、当該緩衝シート１の箱体２１内への設置手順を説明する。まず、図３に示すように、箱体２１の底面２１ａ上に複数の物品Ｘ１を整列させる。また、当該緩衝シート１を、第１脚板３を下方に折り曲げたうえ、中仕切板２と接続板４との間の境界線で２つ折りに折り曲げる。そして、接続板４及び天板５を箱体２１の後壁２１ｂの内面に沿わせるよう当該緩衝シート１を箱体２１内に挿入する。
【００３９】
次に、第１脚板３の円弧状の側縁３ａを支点として、中仕切板２を箱体２１の底面２１ａ側に倒していく。この際、第４脚板７を下方に折り曲げておき、箱体２１の底面２１ａと当接させる。これにより、図４に示すように、中仕切板２が箱体２１の底面２１ａと平行に保たれ、中仕切板２と底面２１ａとの間の第１収容空間Ｓ１に複数の物品Ｘ１が収容される。
【００４０】
続いて、図４に示すように、中仕切板２の上面に複数の物品Ｘ２を整列させる。そして、接続板４との境界線で天板５を折り曲げ、天板５を箱体２１の底面２１ａ側に倒していく。この際、第２脚板６を下方に折り曲げておき、第４脚板７と箱体２１の前壁２１ｃとの間に挿入し、箱体２１の底面２１ａに当接させる。これにより、図５に示すように、天板５が中仕切板２と平行に保たれ当該緩衝シート１が箱体２１内に設置されると共に、中仕切板２と天板５との間の第２収容空間Ｓ２に複数の物品Ｘ２が収容される。さらに、図５に示すように、箱体２１の蓋部２１ｄを組み立てる。なお、当該緩衝シート１の設置に関しては、必ずしも箱体２１の蓋部２１ｄを組み立てる必要はない。当該緩衝シート１は、例えば蓋部を有しないトレイ状の容器等にも設置可能である。
【００４１】
＜利点＞
当該緩衝シート１は、中仕切板２の一対の側縁２ｃからそれぞれ延出する第１脚板３によって中仕切板２を箱体２１の底面２１ａと平行に保持すると共に、接続板４から延出する天板５を第２脚板６によって中仕切板２と平行に保持することができる。そのため、当該緩衝シート１は、中仕切板２と箱体２１の底面２１ａとの間の第１収容空間Ｓ１、及び中仕切板２と天板５との間の第２収容空間Ｓ２を用いて複数の物品Ｘ１，Ｘ２を安全かつ多段に配置することができる。当該緩衝シート１は、１枚の段ボールシートからなるので、箱体２１に複数の物品Ｘ１，Ｘ２を収容する際に複数のシート材を組み合わせることを要しない。そのため、当該緩衝シート１は、複数の物品Ｘ１，Ｘ２を箱体２１内に容易に配置することができる。
【００４２】
当該緩衝シート１は、中仕切板２の前縁２ａから延出し、下方に折り曲げられ、第２脚板６と重なり合う第４脚板７を備えるので、中仕切板２及び天板５を箱体２１の底面２１ａと平行により安定的に保持することができる。
【００４３】
［第二実施形態］
＜緩衝シート＞
図６の緩衝シート１１は、１枚の段ボールシートからなる。当該緩衝シート１１は、図７に示す組立状態で箱体内に配置される。当該緩衝シート１１は、この箱体の内部空間を多段に区分可能に構成される。当該緩衝シート１１は、対向する前縁１２ａ及び後縁１２ｂ、並びに対向する左右一対の側縁１２ｃを有し、上記箱体の底面と平行に配置される略長方形状の中仕切板１２と、中仕切板１２の一対の側縁１２ｃから延出し、下方に折り曲げられる第１脚板１３と、中仕切板１２の後縁１２ｂから延出し、上方に折り曲げられる接続板１４と、接続板１４の延出方向先端側の端縁から延出し、中仕切板１２と平行に折り返される中仕切板１２と略同型の天板１５と、天板１５の延出方向先端側の端縁から延出し、下方に折り曲げられる第２脚板１６とを備える。当該緩衝シート１１は、中仕切板１２の前縁１２ａから延出し、下方に折り曲げられ、第２脚板１６と重なり合う第４脚板１７を備える。さらに、当該緩衝シート１１は、接続板１４の延出方向基端側の端縁から延出する第３脚板１８を備える。なお、図６において、太い実線は段ボールシートを切断して形成される切断線を示し、細い実線は段ボールシートの片面を筋押しして形成される罫線を示す。また、図６において、細い２点鎖線は、段ボールシートの片面側だけを切断したハーフカット線を示す。
【００４４】
図６に示すように、第３脚板１８は、中仕切板１２の後縁１２ｂを切り欠くことで形成される。当該緩衝シート１１は、接続板１４の延出方向基端側の端縁から延出する第３脚板１８を備え、かつ中仕切板１２がこの第３脚板１８を画定する切欠き１２ｅを有する以外、図１の緩衝シート１と概略同形状とすることができる。そのため、以下では、第３脚板１８及び切欠き１２ｅについてのみ説明する。
【００４５】
（第３脚板）
第３脚板１８は、接続板１４の幅方向の中央部から延出している。図８に示すように、第３脚板１８は、当該緩衝シート１１が箱体内に配置された状態で接続板１４の下縁から下方に突出し、第１脚板１３及び第４脚板１７と共に中仕切板１２を箱体の底面と平行に支持する。また、第３脚板１８は、延出方向先端側の端縁（以下、「先端縁１８ａ」ともいう）が箱体の底面に当接した状態で接続板１４を下方から支持することで、第２脚板１６と共に天板１５を中仕切板１２と平行に支持する。第３脚板１８の延出方向長さとしては、第１脚板１３及び第４脚板１７の延出方向長さと同じとすることができる。
【００４６】
第３脚板１８は、先端縁１８ａから基端縁に至る凹部１８ｂを有する。凹部１８ｂは、第３脚板１８の基端縁から先端縁１８ａに向けて幅が漸増する拡幅部及び幅が漸減する縮幅部をこの順で有する。凹部１８ｂは、先端縁１８ａ側に縮幅部を有することで、先端縁１８ａ側に形成される開口幅を小さくすることができる。これにより、当該緩衝シート１１は、図７の配置状態で、第３脚板１８の内面に当接するように複数の物品を配置しやすく、ひいては複数の物品によって第３脚板１８を内面側から支持することで、中仕切板１２及び天板１５を箱体の底面と平行に安定的に保持しやすい。
【００４７】
第３脚板１８と接続板１４との間の境界線には折り曲げ容易線は形成されていないことが好ましい。このように、第３脚板１８と接続板１４との間の境界線に折り曲げ容易線は形成されていないことで、第３脚板１８を直立させやすく、中仕切板１２及び天板１５を箱体の底面と平行に安定的に保持しやすい。
【００４８】
（切欠き）
切欠き１２ｅは、第３脚板１８を画定すると共に、中仕切板１２の外縁を画定する。そのため、第３脚板１８が上述の凹部１８ｂを有することで、中仕切板１２にはこの凹部１８ｂと相補的な凸部１２ｆが形成される。凸部１２ｆは、基端縁から先端側に向けて幅が漸増する拡幅部及び幅が漸減する縮幅部をこの順で有する。当該緩衝シート１１は、中仕切板１２が凸部１２ｆを有することで、この凸部１２ｆが物品の載置面として機能するので、複数の物品を中仕切板１２上に安定的に配置することができる。
【００４９】
＜利点＞
当該緩衝シート１１は、接続板１４の延出方向基端側の端縁から延出する第３脚板１８を備えることによって、中仕切板１２を箱体の底面と平行により安定的に保持することができる。また、この構成によると、接続板１４を箱体の側面に沿わせやすく、ひいては天板１５を中仕切板１２を平行に配置しやすい。
【００５０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５１】
例えば当該緩衝シートは、中仕切板の前縁から延出する第４脚板を備えていなくてもよい。当該緩衝シートは、第４脚板を備えていない場合でも、中仕切板の左右一対の側縁から延出する第１脚板によって中仕切板を箱体の底面と平行に保持することが可能である。
【００５２】
当該緩衝シートにおける各板の具体的形状は上記実施形態に記載の形状に限定されるものではない。例えば当該緩衝シートは、第一実施形態において第１脚板の中仕切板の後縁側の側縁が円弧状でなくてもよい。また、当該緩衝シートは、第３脚板を備える場合でも、この第３脚板は、必ずしも延出方向先端側の端縁から基端縁に至る凹部を有していなくてもよい。
【００５３】
当該緩衝シートは、箱体の内部空間を必ずしも２段に区分する必要はなく、３段以上に区分可能に構成されてもよい。
【産業上の利用可能性】
【００５４】
以上のように、本考案に係る緩衝シートは、複数の物品を箱体内に容易かつ安全に多段に配置することができるので、箱体内に複数の物品を保管するのに適している。
【符号の説明】
【００５５】
１，１１  緩衝シート
２，１２  中仕切板
２ａ，１２ａ  前縁
２ｂ，１２ｂ  後縁
２ｃ，１２ｃ  側縁
２ｄ  窪み部
１２ｅ  切欠き
１２ｆ  凸部
３，１３  第１脚板
３ａ  側縁
４，１４  接続板
５，１５  天板
５ａ  前縁
５ｂ  後縁
５ｃ  側縁
６，１６  第２脚板
７，１７  第４脚板
１８  第３脚板
１８ａ  先端縁
１８ｂ  凹部
２１  箱体
２１ａ  底面
２１ｂ  後壁
２１ｃ  前壁
２１ｄ  蓋部
Ｓ１  第１収容空間
Ｓ２  第２収容空間
Ｘ１，Ｘ２  物品
【図１】
0003223063.tif 000003
【図２】
0003223063.tif 000004
【図３】
0003223063.tif 000005
【図４】
0003223063.tif 000006
【図５】
0003223063.tif 000007
【図６】
0003223063.tif 000008
【図７】
0003223063.tif 000009
【図８】
0003223063.tif 000010